(57)【特許請求の範囲】
【請求項１】
貫通孔（１２）があけられた、ハウジングの壁部、ドアリーフ、シャッタ等のような第１の薄肉壁部（１４）を、同様に貫通孔（１６）があけられた、ハウジングのフレーム、ドアフレーム、壁部の孔のエッジ等のような薄肉壁の壁部支持体のような第２の薄肉壁部（１８）に固定するのに適したスナップファスナであって、このスナップファスナが、第１の（又は第２の）薄肉壁部（１４、１８）でその貫通孔（１２、１６）内に配置しうる基部（２０）と、この基部（２０）から離れる方向に延在する頭部（２２）とを具えており、前記頭部（２２）は、縦断面においてこの頭部（２２）の端部から前記基部（２０）に向かう方向で、最初は増大し続いて減少する直径（Ｄ）を有し、前記頭部（２２）は、前記直径（Ｄ）の方向で外向きの放射状に作用するばね力を釈放させることにより、前記薄肉壁部（１４、１８）の貫通孔により形成されるか支持されるアンダーカットのメス型差込片により収容しうるオス型差込片を呈するようになっており、前記頭部（２２）は、１つ又は２つ以上の押圧素子又は保持素子（２８）に対する案内部材又は溝部材（２４）を有しており、この又はこれらの押圧素子又は保持素子は、少なくとも１つのばね（２６）により、前記案内部材又は溝部材（２４）の端部を越えて突出する位置に押圧されるようになっており、この案内部材又は溝部材（２４）から突出する前記押圧素子又は保持素子（２８）の端部は、前記薄肉壁部（１４、１８）に対し垂直となるように重なるプレート（３８）内に形成されており、前記頭部（２２）には、ハウジングとして（可撓性材料の）固定用カムか又は可撓性の固定用表面を有する板ばね装置（４２）のような固定用突起部が設けられており、このハウジングは、前記薄肉壁部（１４、１８）の貫通孔（１６、１２）内にはめ込むことにより、このハウジングが一方の前記薄肉壁部（リヤパネル）（１４）のみを把持しうるようになっているとともに、把持解除装置（釈放手段）（４６）が前記ハウジング（４４）内に設けられ、この把持解除装置（４６）により前記押圧素子（２８）を前面から前記ハウジング（４４）内に後退させうるようになっており、前記固定用突起部（７２）の保持領域と一方では前記押圧素子（２８）の保持領域及び他方では前記基部（２０）の支持平面（４５）との間の寸法は、前記押圧素子（２８）を後退させた際に前記固定用突起部（４０）が遊びをもって前記フロントパネル（１８）と接触するように選択されている当該スナップファスナにおいて、
前記基部（２０）の前記支持平面（４５）と前記薄肉壁部（フロントパネル）（１８）の関連のエッジ平面（４７）との間に延在する圧縮ばね（４９）が前記基部（２０）の前記支持平面（４５）上に配置されており、
前記圧縮ばね（４９）は、長方形又は正方形の断面を有する頭部（２２）を前記基部（２０）の付近で囲むコイルばねまたは板ばね（２４９、３４９）であって、前記基部（２０）の前記支持平面（４５）に固定されており、
前記ハウジング（４４）は、前記把持解除装置（４６）により前記押圧素子（２８）が前面から前記ハウジング（４４）内に後退した場合に、前記圧縮ばね（４９）により引き戻されて、他方の前記薄肉壁部（フロントパネル）（１８）から取り外すことができるようになっていることを特徴とするスナップファスナ。
【請求項２】
請求項１に記載のスナップファスナにおいて、前記圧縮ばね（４９）はコイルばねであり、前記コイルばね（４９）はディスク（５１）により前記基部（２０）の前記支持平面（４５）に対して押圧されていることを特徴とするスナップファスナ。
【請求項３】
請求項２に記載のスナップファスナにおいて、前記ディスク（５１）は圧縮状態にあるコイルばね（４９）の軸線延長部を囲むリング（５３）を形成しており、これにより、前記支持平面（４５）と前記薄肉壁部（フロントパネル）（１８）の前記エッジ平面（４７）との間に正の係合圧力による連結を形成しうるようにしたことを特徴とするスナップファスナ。
【請求項４】
請求項１〜３の何れか一項に記載のスナップファスナであって、前記釈放手段（４６）が前記基部内で回転自在に支持されている作動ピン（６３、１６３）により形成されているスナップファスナにおいて、前記作動ピン（６３、１６３）は、前記圧縮ばね（４９）を通して及び前記ディスク（５２）が存在する場合にはこれを通して突出し且つ前記押圧素子（２８）に向いたその内側前端で放射状のウェブ（６５）を形成するようになっており、この放射状のウェブ（６５）は前記保持素子（２８）の凹所（６７）内に係合しているとともに、前記作動ピン（６３、１６３）を釈放方向で回転させた場合に、前記保持素子（２８）をばね力に抗して引き戻すようになっていることを特徴とするスナップファスナ。
【請求項５】
請求項４に記載のスナップファスナにおいて、前記作動ピン（６３、１６３）に代えて、前記保持素子（２８）の前記凹所（６７）まで延在する軸線方向の孔（６９）が設けられており、平坦なブレード（７１）を有するねじ回し（７３）をこの孔（６９）内に挿入することにより、このブレード（７１）をもって前記保持素子（２８）を引き戻しうるようになっていることを特徴とするスナップファスナ。
【請求項６】
請求項１〜５の何れか一項に記載のスナップファスナにおいて、前記作動ピン（６３、１６３）の外側端部に、トルク適用工具用のレセプタクルが設けられており、このレセプタクルの端部が基部（２０）を越えて延在しないようにしたことを特徴とするスナップファスナ。
【請求項７】
請求項１〜５の何れか一項に記載のスナップファスナにおいて、前記作動ピン（６３、１６３）の外側端部に、頭部の端部を越えて延在するきざみ付き回転ノブのような取っ手を設けられていることを特徴とするスナップファスナ。
【請求項８】
請求項１に記載のスナップファスナにおいて、前記ハウジング（４４６）により形成された横方向の突起部（４６１）によりＵ字状板ばね（４４２）が適所に保持されていることを特徴とするスナップファスナ。
【発明の詳細な説明】
【技術分野】
【０００１】
本発明は、貫通孔があけられた、ハウジングの壁部、ドアリーフ（扉）、シャッタ等のような第１の薄肉壁部を、同様に貫通孔があけられた、ハウジングのフレーム（骨組み）のような薄肉壁の壁部支持体、ドアフレーム、壁部の孔のエッジ等のような第２の薄肉壁部に固定するのに適したスナップファスナであって、このスナップファスナが、第１の（又は第２の）薄肉壁部でその貫通孔内に配置しうる基部と、この基部から離れる方向に延在する頭部とを具えており、前記頭部は、縦断面においてこの頭部の端部から前記基部に向かう方向で、最初は増大し続いて減少する直径を有し、前記頭部は、前記直径の方向で外向きの放射状に作用するばね力を釈放させることにより、前記薄肉壁部の貫通孔により形成されるか支持されるアンダーカットのメス型差込片により収容しうるオス型差込片を呈するようになっており、前記頭部は、１つ又は２つ以上の押圧素子又は保持素子に対する案内部材又は溝部材を有しており、この又はこれらの押圧素子又は保持素子は、少なくとも１つのばねにより、前記案内部材又は溝部材の端部を越えて突出する位置に押圧されるようになっており、この案内部材又は溝部材から突出する前記押圧素子又は保持素子の端部は、前記薄肉壁部に対し垂直に延在する投影線で三角形をしており、前記基部は前記薄肉壁部の貫通孔の長手エッジを覆うプレートにより形成されており、前記頭部には、ハウジングとして、（可撓性材料の）固定用カムか又は可撓性の固定用表面を有する板ばね装置のような固定用突起部が設けられており、このハウジングは、前記薄肉壁部の貫通孔内にはめ込むことにより、このハウジングが一方の前記薄肉壁部（リヤパネル）のみを把持しうるようになっているとともに、把持解除装置（釈放手段）が前記ハウジング内に設けられ、この把持解除装置により前記押圧素子を前面から前記ハウジング内に後退させうるようになっており、前記ハウジングは、他方の前記薄肉壁部（フロントパネル）から取り外すことができるようになっており、前記固定用突起部の保持領域と一方では前記押圧素子の保持領域及び他方では前記基部の支持平面との間の寸法は、前記押圧素子を後退させた際に前記固定用突起部が遊びをもって前記フロントパネルと接触するように選択されている当該スナップファスナに関するものである。
【背景技術】
【０００２】
上述した種類のスナップファスナは国際公開ＷＯ２００８／１２８５６０から既知である。
【０００３】
この既知のスナップファスナには、この種の複数のスナップファスナを用いて一方の壁部を他方の壁部に固定した場合に、一方の壁部を他方の壁部から取り外すことができるようにする状態に、これらのスナップファスナを同時にもたらすことが困難であるという欠点がある。
【先行技術文献】
【特許文献】
【０００４】
【特許文献１】国際公開ＷＯ２００８／１２８５６０
【発明の概要】
【発明が解決しようとする課題】
【０００５】
本発明の目的は、上述した欠点が回避されるように、上述した種類のスナップファスナを改善することにある。
【課題を解決するための手段】
【０００６】
本発明によれば、前記基部の前記支持平面と前記薄肉壁部（フロントパネル）の関連のエッジ平面との間に延在する圧縮ばね、特にコイルばね又は凹面の板ばねを前記基部の前記支持平面上に配置することにより、上述した目的を達成する。
【０００７】
上述したようにすることにより、個々のスナップファスナに細心の注意を払うことなく、スナップファスナは、一方の壁部を他方の壁部から取り外し得る状態に自動的に押しこまれる。
【０００８】
本発明の更なる改良によれば、圧縮ばねを、長方形又は正方形の断面を有する頭部を基部の付近で囲むコイルばねとする。このようにすることにより、スナップファスナが壁部に対して回転しないようにする。
【０００９】
本発明のこの構成によれば、圧縮ばねが基部の支持平面に固定される。これにより、ばねは消失せず、且つ装着時には既に正しい位置にあるようになるという利点が得られる。
【００１０】
本発明の他の例によれば、コイルばねをディスクにより基部の支持平面に対して押圧させ、これにより壁部上でのコイルばねの力の分布を改善する。
【００１１】
更に、ディスクが、圧縮状態にあるコイルばねの軸線延長部を囲むリングを形成しており、これにより、支持平面と薄肉壁部（フロントパネル）のエッジ平面との間に正の係合圧力による連結を形成する例が可能となる。これにより、ばねの力に依存しない、特に確実な固定が可能となる利点が得られる。
【００１２】
一方、ディスクを有さないか、或いはディスクを有するもこのディスクを環状としない形態の例によれば、構成が簡単となるという利点が得られとともに、遊びも圧縮ばね又はコイルばねにより補償されることにより広範な遊びを克服しうる可能性が得られる。ばねにより支持される遊びは、電気システムに短絡が生じた場合にドア又はシャッタを持ち上げて発生ガスを逃がすか又は圧力を軽減させるようにする作用をもする。
【００１３】
例えば、パネルの厚さが異なる場合に、スナップファスナを変えることなくこれらのパネルを互いに正確に固定することができる。
【００１４】
従来技術におけるように、基部内で回転自在に支持された作動ピンにより釈放手段を形成しうる。本発明によれば、作動ピンを、圧縮ばねを通して及びディスクが存在する場合にはこれを通して突出させ且つ押圧素子に向いたその内側前端で放射状のウェブを形成するようにし、この放射状のウェブは保持素子の凹所内に係合させるとともに、作動ピンを釈放方向で回転させた場合に、保持素子をばね力に抗して引き戻すようにする。
【００１５】
本発明の一例では、作動ピンの代わりに、保持素子の凹所まで延在する軸線方向の孔を設け、平坦なブレードを有するねじ回しをこの孔内に挿入することにより、ブレードをもって保持素子を引き戻すようにすることもできる。このようにすることにより、作動ピンが必要としなくなり、スナップファスナの製造費が低減される。
【００１６】
或いはまた、作動ピンの外側端部に、トルク適用工具用のレセプタクル（収容部）を設けることができるも、コンパクトにするためにこのレセプタクルの端部が基部を越えて延在しないようにする。
【００１７】
この場合、レセプタクルに適合する工具であって、これによりスナップファスナを緩める当該工具が必要となる。
【００１８】
他の選択肢では、作動ピンの外側端部に、基部の端部を越えて延在しうるきざみ付き回転ノブのような取っ手を設けるようにすることができる。
【００１９】
ばねを新たに設計した結果として、一方の薄肉壁部を他方の薄肉壁部から取り除くために、ばねを更に引き出す必要がない程度に充分に、このばねがスナップファスナを手動でなく押し出すようにする。更に、このばねはクランプ領域を拡大させる。このようにすることにより、壁部が首尾よく連結されたかを検査する手段を提供するという追加の利点が得られる。その理由は、この連結が失敗した場合には、このばねがスナップファスナを再度元の状態にもどし、これにより壁部が係合されていないことを示す為である。
【００２０】
以下に本発明を図示する実施例につき更に詳細に説明する。
【図面の簡単な説明】
【００２１】
【図１Ａ】図１Ａは、本発明によるスナップファスナの実施例の一形態を示す、軸線に沿う断面図である。
【図１Ｂ】図１Ｂは、図１Ａによる実施例の一形態の頂面図である。
【図１Ｃ】図１Ｃは、図１ＢにおけるラインＥ‐Ｅに沿う断面図である。
【図１Ｄ】図１Ｄは、図１Ａによる実施例の底面図である。
【図１Ｅ】図１Ｅは、押圧素子及び釈放装置を示す拡大斜視図である。
【図２】図２Ａ〜２Ｄは、図１の場合よりも薄肉にした壁部に適用した図１Ａと同じスナップファスナを図１Ａ〜１Ｅに対応して示す図であり、図２Ｅは他の種類の釈放装置を示す拡大斜視図である。
【図３】図３は、図１Ａ及び１Ｂによるスナップファスナの構成を示す分解図である。
【図４Ａ】図４Ａは、スナップファスナの側面図である。
【図４Ｂ】図４Ｂは、図４ＡのラインＢ‐Ｂに沿う軸線方向断面図である。
【図４Ｃ】図４Ｃは、図４ＡのラインＡ‐Ａに沿う断面図である。
【図４Ｄ】図４Ｄは、図４Ａによる実施例の頂面図である。
【図４Ｅ】図４Ｅは、図１Ａとは相違して薄肉壁部内に装着する前の状態で、図４Ａのスナップファスナを示す斜視図である。
【図５】図５Ａ〜５Ｄは、図４Ａに類似する構成であるが、ハンドホイールの無い状態で示すスナップファスナの種々の図である。
【図６Ａ】図６Ａは、作動ピンを有さず、ねじ回しにより押圧素子を直接取り外す形態のスナップファスナを示す斜視図である。
【図６Ｂ】図６Ｂは、ねじ回しにより図６Ａのスナップファスナから取り外した押圧素子を示す斜視図である。
【図７Ａ】図７Ａは、本発明の更なる説明のための断面図である。
【図７Ｂ】図７Ｂは、本発明の更なる説明のための頂面図である。
【図７Ｃ】図７Ｃは、本発明の更なる説明のための他の断面図である。
【図７Ｄ】図７Ｄは、本発明の更なる説明のための斜視図である。
【図８】図８Ａ〜８Ｆは、Ｕ字状の保持用ばねによる異なる固定を行う他の形態のスナップファスナの種々の図を示す。
【図９】図９Ａ〜９Ｅは、凹面の板ばねの形態の圧縮ばねを有し、小型のホイールにより釈放を行う他の形態のスナップファスナの種々の図を示す。
【図１０Ａ】図１０Ａは、２つの薄肉壁部と、スナップファスナとを互いに分離させた状態を示す縦断面図である。
【図１０Ｂ】図１０Ｂは、一方の薄肉壁部は外されているも、他方の薄肉壁部は依然として保持しているスナップファスナを示す縦断面図である。
【図１０Ｃ】図１０Ｃは、スナップファスナが双方の薄肉壁部に押し込まれているが、板ばねは依然として弛緩している状態を示す縦断面図である。
【図１０Ｄ】図１０Ｄは、板ばねを押圧して２つの薄肉壁部を互いにしっかりと保持した状態を示す縦断面図である。
【図１０Ｅ】図１０Ｅは、図１０Ｄの頂面図である。
【図１０Ｆ】図１０Ｆは、図１０Ｄの斜視図である。
【図１０Ｇ】図１０Ｇは、２つの薄肉壁部と、スナップファスナとを互いに分離させた状態を示す斜視図である。
【図１０Ｈ】図１０Ｈは、一方の薄肉壁部は外されているも、他方の薄肉壁部は依然として保持しているスナップファスナを示す斜視図である。
【図１０Ｉ】図１０Ｉは、スナップファスナが双方の薄肉壁部に押し込まれているが、板ばねは依然として弛緩している状態を示す斜視図である。
【発明を実施するための形態】
【００２２】
頂面図を示している図１Ｂの断面ラインＤ‐Ｄに沿う第１の軸線方向断面図である図１Ａには、貫通孔１２があけられたハウジングの壁部、ドアリーフ、シャッタ等のような第１の薄肉壁部１４を、同様に貫通孔１６があけられたハウジングのフレーム、ドアフレーム、壁部の孔のエッジ等のような薄肉壁の壁部支持体のような第２の薄肉壁部１８に固定するのに適したスナップファスナが示されており、このスナップファスナは、第１の薄肉壁部１４又は第２の薄肉壁部１８においてその貫通孔１２又は１６内に配置しうる基部２０と、この基部２０から離れて延在する頭部２２とを具えており、この頭部２２はその縦断面においてこの頭部２２の端部から基部２０に向かう方向で、最初は増大し、続いて減少する直径を有しており（図１Ａにおける参照符号３０を参照）、この頭部２２は、直径の方向で外向きの放射状に作用するばね力（図１Ｂの断面ラインＥ‐Ｅに沿う断面図である図１Ｃにおける圧縮ばね２６を参照）を釈放させることにより、薄肉壁部１４の貫通孔１２により形成されるか支持されるアンダーカットのメス型差込片により収容しうるオス型差込片を有している。この頭部２２には、１つ又は２つ以上の押圧素子又は保持素子２８に対する案内部材又は溝部材２４が形成されており、押圧素子又は保持素子２８は、少なくとも１つのばね２６により、案内部材又は溝部材２４の端部を越えて突出する位置に押圧され、案内部材又は溝部材２４から突出する押圧素子又は保持素子２８の端部３０は、薄肉壁部１４又は１８に対し垂直に延在する投影面内で三角形状となり、基部２０は、薄肉壁部１８における貫通孔１６の長手エッジ３６を覆うプレート３８により形成されている。頭部２２には、ハウジング４４として、（可撓性材料の）固定用カムか又は可撓性の固定用表面４０を有する板ばね装置４２のような固定用突起部が設けられており、このハウジング４４を薄肉壁部１４にける貫通孔１２内にはめ込むことにより、このハウジングが一方の薄肉壁部（リヤパネル）１４のみを把持しうるようになっているとともに、把持解除装置（釈放手段）４６がハウジング４４内に設けられ、この把持解除装置により押圧素子２８を前面からハウジング４４内に後退させうるようになっている。ハウジング４４は、他方の薄肉壁部１８（フロントパネル）から取り外すことができ、固定用突起部４２の保持領域と、一方では押圧素子２８の保持領域及び他方では基部２０の支持平面との間の寸法は、押圧素子２８を後退させた際に固定用突起部４２が遊びをもってフロントパネル１８と接触するように選択されている。
【００２３】
本発明によれば、基部２０の支持平面４５と、これに関連する薄肉壁部１８（フロントパネル）のエッジ平面４７との間に圧縮ばね４９が配置されている。このエッジ平面４７と圧縮ばね４９との間にはディスク１５１（図７Ａ参照）を設け、この圧縮ばねがこのディスクにより基部２０の支持平面４５（図１Ｃ参照）に対し押圧されるようにしうる。ディスク５１はコイル（圧縮）ばね４９の軸線延長部を囲むリング５３をも形成し、これにより、ある力が加えられて圧縮ばね４９が完全に圧縮された場合に、支持平面４５と薄肉壁部（フロントパネル）１８のエッジ平面４７との間に正の係合圧力による連結を形成するようにしうる。この状態を図１Ａに且つ図１Ｃにも示してある。パネル１４、１８すなわち薄肉壁部が図１におけるよりも一層薄肉である場合には、例えば、図２Ａにおいて明らかなように、本発明による圧縮ばねがないと、もはや正の係合連結を生ぜしめることができず、スナップファスナが緩められてしまう。このことは、弛緩し、従って、摩擦係合を達成する圧縮ばね４９により回避される。
【００２４】
このようにすることにより、プレート３８がディスク又はリング５３から離間される（図２Ａ参照）。
【００２５】
図３においても明らかなように、圧縮ばね４９は、基部２０の付近で断面が長方形又は正方形である頭部２２を囲むコイルばねであり、基部も円形にすることができる。
【００２６】
圧縮ばね４９が頭部又は基部から不所望に滑り落ちるのを回避させるために、圧縮ばね４９を基部２０の支持平面４５に固定させることができる。このことは、コイルばね４９がある圧力で頭部２２の断面形状部を越えて押圧され、これにより緊締されるようにこのコイルばね４９の直径を形成することにより達成しうるが、ばね力は、圧力を平衡化させるために軸線方向の移動を可能にするのに充分な値にする必要がある。
【００２７】
或いはまた、板ばね装置４２又は押圧素子２８により、コイルばね４９がスナップ固定用の素子から滑り落ちるのを回避することもできる。更に、板ばね装置４２がディスク５１を固着し、このディスクの端部でこのディスクが内方に突出する突起部５５を有するようにしうる（図３参照）。これらの突起部は頭部２２における対応する溝に入り込み、これによりこれらが互いに回転しないようにされる。
【００２８】
Ｕ字状に曲げられた板ばね装置４２は、その底部（クロスピース）の領域で、頭部２２から突出する肩部６１上に保持される貫通孔５９を有しうる。図８Ａ〜８ＦによるＵ字状の板ばね装置４４２は、肩部６１により保持する代わりに、ハウジング４４６より成る横方向の突起部４６１により適所に保持することもできる。
【００２９】
押圧素子２８を引き戻す釈放手段４６は、基部２０内で回転自在に装着されている作動ピン６３又は１６３（図３参照）により形成しうる。本発明によれば、作動ピンが圧縮ばね４９を通して及びディスク５２が存在する場合にはこれを通して突出し、押圧素子２８に向いたその内側前端で放射状のウェブ６５を形成するようにする。この放射状のウェブ６５は保持素子２８の凹所６７内に係合しており、このウェブ６５は、作動ピン６３、１６３を釈放方向で回転させた場合に、保持素子２８をばね力２６に抗してハウジング内に引き戻す。
【００３０】
作動ピン６３、１６３の代わりに、保持素子２８の凹所６７まで延在する軸線方向の孔６９を設け、平坦なブレード７１を有するねじ回し７３をこの孔６９内に挿入することにより、ブレード７１をもって保持素子２８を引き戻すようにすることもできる。
【００３１】
図２Ｅ及び図３によれば、作動ピン６３の外側端部に、トルク適用工具用のレセプタクルを、好ましくはフィリップス社製のヘッドレセプタクル７５を設けることができるも、このレセプタクルの端部が基部を越えて延在しないようにする。
【００３２】
これに代えて又はこれに加えて、作動ピン６３の外側端部に、基部２０の端部を越えて延在しうるきざみ付きノブ７７のような取っ手を設けることができる（例えば、図４Ｅ、図１Ｅ又は図３を参照）。
【００３３】
作動ピン６３、１６３には、ハウジング内で止め輪７９を含めることができる。この止め輪７９は、一方では作動ピン６３又は１６３の環状溝８１内に延在し、他方では環状溝８３内に延在する。図４Ａ、４Ｂ及び４Ｃは、薄肉壁部が保持されていない場合の、すなわち薄肉壁部がスナップ固定されていない場合の非装着状態で図１Ａによるスナップファスナを示す。又、カップ状の環状ディスク５１は保持素子２８上に直に位置しており、従って、このディスクが滑り落ちないようになっていることも分かる。
【００３４】
円形のばね４９の代わりに方形のコイルばね(図示せず)を用いることもでき、この方形のコイルばねを頭部２２の形状に良好に適合させ、これが占めるスペースを少なくするようにしうる。
【００３５】
図９Ａ〜９Ｅによれば、コイルばね４９の代わりに凹面の板ばね２４９を圧縮ばねとして作用させることができる。
【００３６】
図１０Ａ〜１０Ｉは、図１Ｃに示す板ばね装置４２の代わりに可撓性の固定用カムを設けた実施例を示している。この機能は、図１０Ｂによる押圧素子又は保持素子３２８により達成される。
【００３７】
図示するように、図１０Ａ〜１０Ｉによる実施例は以下のように機能する。
【００３８】
図１０Ａ及び図１０Ｇでは、貫通孔１２及び１６をそれぞれ有する２つの薄肉壁部１４及び１８と、スナップファスナ３１０とは互いに分離されている。板ばね３４９及び保持素子３２８は弛緩している。
【００３９】
図１０Ｂ及び図１０Ｈでは、頭部３２２及び２つの保持素子３２８を有するスナップファスナ３１０がドアリーフ１８等の貫通孔１６内に押し込まれているも、板ばね３４９は依然として弛緩しており、保持素子３２８は、スナップファスナ３１０が薄肉壁部１８の貫通孔１６から滑り落ちないようにしている。
【００４０】
図１０Ｃ及び図１０Ｉでは、保持素子３２８が完全に押し込まれるまで、スナップファスナ３１０を保持した薄肉壁部１８が、貫通孔１２を有する壁部支持体１４に取り付けられているが、板ばね３４９は依然として弛緩している。（この状態は、壁部１８を壁部１４から引きはがすことができる釈放状態でもある。）
【００４１】
図１０Ｄ及び図１０Ｅ、図１０Ｆでは、ユーザの親指により基部３２０を湾曲した板ばね３４９の力に抗して押圧し、これによりこの板ばねを平坦にした後に、保持素子３２８が跳ね返り、２つの壁部１４及び１８が互いにしっかりと保持されている。
【００４２】
壁部１８は、適切なソケットレンチか又はねじ回しのような工具により壁部支持体１４から取り外される。この場合、ねじ回しのブレードを、保持素子まで延在する孔３２内に挿入し、このブレードを、図１０Ｄから図１０Ｃへ移ることに相当するように、保持素子３２８が完全に引き戻されるまで回す。この時点で、壁部支持体１４の貫通孔１２のエッジが自由に解放されるまで、湾曲した板ばね３４９がスナップファスナを引き戻し、図１０Ｂに示す状態が得られるようにする。
【００４３】
望ましくは、ねじ回しを更に回すことにより、保持素子３１０を壁部支持体１４から分離させるようにする。
【００４４】
後者の実施例には、経済的に製造しうるという利点がある。その理由は、ばね４２が省略される為である。しかし、壁部の厚さ及び壁部支持体の厚さは、薄肉壁部が最初に自由に釈放されるまで、壁部支持体が自由に釈放されないように選択する必要がある。
【００４５】
図１Ａ〜１０Ｉによる実施例では、より大きなトレランスが許容される。
【産業上の利用可能性】
【００４６】
本発明は産業的には、スイッチキャビネットの構成やファサードの構成に適用しうる。
【符号の説明】
【００４７】
１０、３１０            スナップファスナ
１２                    貫通孔
１４                    第１の薄肉壁部、ハウジング壁部
１６                    貫通孔
１８                    第２の薄肉壁部、壁部支持体
２０、３２０            基部
２２、３２２            頭部
２４                    案内部材、溝部材
２６                    ばね
２８，３２８            押圧素子、保持素子
３６                    長手エッジ
３８                    プレート
４０、４４０            固定用表面
４２、４４２            板ばね装置
４４                    ハウジング
４５                    支持平面
４６，４４６            釈放手段
４７                    エッジ平面
４９、２４９、３４９    圧縮ばね
５１、１５１            ディスク
５３                    リング
５５                    突起部
５７                    溝
５９                    貫通孔
６１、４６１            肩部
６３、１６３            作動ピン
６５                    ウェブ
６７                    凹所
６９                    孔
７１                    ブレード
７３                    ねじ回し
７５                    フィリップス社製のヘッドレセプタクル
７７                    きざみ付きノブ
７９                    止め輪
８１                    環状溝
８３                    環状溝
Ｄ                      直径
【図１Ａ】
0005624601.tif 000002
【図１Ｂ】
0005624601.tif 000003
【図１Ｃ】
0005624601.tif 000004
【図１Ｄ】
0005624601.tif 000005
【図１Ｅ】
0005624601.tif 000006
【図２Ａ】
0005624601.tif 000007
【図２Ｂ】
0005624601.tif 000008
【図２Ｃ】
0005624601.tif 000009
【図２Ｄ】
0005624601.tif 000010
【図２Ｅ】
0005624601.tif 000011
【図３】
0005624601.tif 000012
【図４Ａ】
0005624601.tif 000013
【図４Ｂ】
0005624601.tif 000014
【図４Ｃ】
0005624601.tif 000015
【図４Ｄ】
0005624601.tif 000016
【図４Ｅ】
0005624601.tif 000017
【図５Ａ】
0005624601.tif 000018
【図５Ｂ】
0005624601.tif 000019
【図５Ｃ】
0005624601.tif 000020
【図５Ｄ】
0005624601.tif 000021
【図６Ａ】
0005624601.tif 000022
【図６Ｂ】
0005624601.tif 000023
【図７Ａ】
0005624601.tif 000024
【図７Ｂ】
0005624601.tif 000025
【図７Ｃ】
0005624601.tif 000026
【図７Ｄ】
0005624601.tif 000027
【図８Ａ】
0005624601.tif 000028
【図８Ｂ】
0005624601.tif 000029
【図８Ｃ】
0005624601.tif 000030
【図８Ｄ】
0005624601.tif 000031
【図８Ｅ】
0005624601.tif 000032
【図８Ｆ】
0005624601.tif 000033
【図９Ａ】
0005624601.tif 000034
【図９Ｂ】
0005624601.tif 000035
【図９Ｃ】
0005624601.tif 000036
【図９Ｄ】
0005624601.tif 000037
【図９Ｅ】
0005624601.tif 000038
【図１０Ａ】
0005624601.tif 000039
【図１０Ｂ】
0005624601.tif 000040
【図１０Ｃ】
0005624601.tif 000041
【図１０Ｄ】
0005624601.tif 000042
【図１０Ｅ】
0005624601.tif 000043
【図１０Ｆ】
0005624601.tif 000044
【図１０Ｇ】
0005624601.tif 000045
【図１０Ｈ】
0005624601.tif 000046
【図１０Ｉ】
0005624601.tif 000047